(57)【特許請求の範囲】
【請求項１】
リップ先端より延びてリップ正面側に向かって小径となって内径面が円錐面形状をなす薄膜をリップシールと一体に形成し、この薄膜の軸方向断面における肉厚が薄膜の根元から先端に向かって徐々に薄くなっており、かつこの薄膜の先端が丸みを帯びておらず、薄膜の根元の内径全周にわたって窪みが設けられ、この窪みによってリップ先端と薄膜とが分離して形成されており、軸またはライナーを挿入しない自由状態において、リップシールの軸方向断面におけるリップ摺動面と軸心とのなす角度に比べて、薄膜の内径面と軸心とのなす角度が小さいことを特徴とするゴムまたはエラストマー製の薄膜付リップシール。
【請求項２】
薄膜の内径面において薄膜の根元から先端まで軸方向につながる溝が設けられていることを特徴とする請求項１に記載の薄膜付リップシール。
【請求項３】
複数のリップシールを用いたシールリングによって構成され、少なくとも海水側を向いたシールリングとして、請求項１または２に記載の薄膜付リップシールを装着することを特徴とする船尾管シール装置。
【発明の詳細な説明】
【０００１】
【産業上の利用分野】
本発明は船舶用船尾管シール装置に用いるリップシール及び船舶用船尾管シール装置に関するものである。
【０００２】
【従来の技術】
従来の船外側船尾管シール装置を図５に示す。この船尾管シール装置では、３本のリップシールを用いた弾性体シールリングが装着され、シールリング２１及び２２は海水側を向きシールリング２３は船内側を向いて配置されている。シールリング２１は、海水を封止することに加え、いわゆるダストシールとして船外海水側からの異物がシール装置の内部に侵入することを阻止する働きを有している。また、シールリング２２及び２３は、それぞれ海水または船尾管内の潤滑油を封止する役目を果たすものである。
【０００３】
【発明が解決しようとする課題】
図５における従来の船外側船尾管シール装置２０では、シールリング２１が船外からの異物、特に、近年海中に多く浮遊するようになった漁網によって損傷を受けることが頻繁にあり、極端な場合は漁網がシールリング２１とライナー２４との隙間を通過してシールリング２２まで達し、シールリング２１，２２共に損傷することさえも見受けられる。
【０００４】
このようなシールリングの損傷を防止するために、実願昭６０−１９４９８に示されているような漁網侵入阻止リングを最後部シールリングの後部側に設けることが実施されている。しかしながら、漁網侵入阻止リング及びこれを収納する支持部材をシール装置に付加することは、シール装置が構造的に複雑になるのみならずコスト的にも高価なものにならざるを得ない。
そこで、本発明においては、漁網侵入阻止リングなどの付加的な手段を用いることなく、漁網等の海水中の異物がシール装置内に侵入することを防止する漁網侵入阻止手段を具備するシールリングを提供する。
【０００５】
【課題を解決するための手段】
本発明は、ゴムまたはエラストマー製のリップシールにおいて、リップ先端より延びてリップ正面側に向かって小径となって内径面が円錐面形状をなす薄膜をリップシールと一体に形成し、この薄膜の軸方向断面における肉厚が薄膜の根元から先端に向かって徐々に薄くなっており、かつ、この薄膜の先端が丸みを帯びておらず、さらに、薄膜の根元の内径全周にわたって窪みが設けられ、この窪みによってリップ先端と分離して形成されており、軸またはライナーを挿入しない自由状態において、リップシールの軸方向断面におけるリップ摺動面と軸心とのなす角度に比べて、薄膜の内径面と軸心とのなす角度が小さいことを特徴とする薄膜によって、漁網の侵入を阻止しリップ先端を保護するものである。
【０００６】
また、薄膜の内径面において薄膜の根元から先端まで軸方向につながる溝が設けられていてもよい。
本発明のいま一つは、複数のリップシールを用いたシールリングによって構成される船尾管シール装置において、少なくとも海水側を向いたシールリングとして上記の薄膜付リップシールを装着するものである。
【０００７】
【作用】
上記の薄膜付リップシールによれば、薄膜がリップシールと一体に形成され、リップ先端より延びてリップ正面側に向かって小径となって内径面が円錐面形状をなし、さらに薄膜の内径面と軸心とのなす角度が小さいので、回転の有無に拘らず軸またはライナーの摺動面全周に薄膜の内径面が容易に摺接することができ、また、薄膜の軸方向断面における肉厚が薄膜の根元から先端に向かって徐々に薄くなり、かつ先端が丸みを帯びていない形状となっているため、薄膜内径側の周接面と軸またはライナー面との間に漁網などの異物が潜り込むことがないので、異物がこの薄膜を通過してリップ先端まで到達することを阻止でき、さらに薄膜の根元の内径全周にわたって窪みが設けられ、この窪みによってリップ先端と薄膜とが分離して形成されているため、リップ先端の潤滑が確保され易く磨耗が生じにくい。従って、リップ先端が海中の異物によって損傷することがなく、リップシールとしての信頼性が向上する。
さらに、この薄膜付リップシールを後部船尾管シール装置の少なくとも海水側を向いたシールリングに適用することによって、船尾管シール装置を複雑構造かつ高価にすることなく、シール装置全体の信頼性を高めることができる。
【０００８】
【実施例】
以下、本発明における実施例を、図１，図２，図３及び図４に基づき説明する。図１は薄膜付リップシールの第１実施例であり、ゴムまたはエラストマー製のリップシール１のリップ先端２の相当する部分より延びた薄膜３を、リップ正面側４に向かって小径となって内径面５が円錐の曲面形状をなすようにリップシール１と一体に形成したもので、この薄膜３の軸方向断面における肉厚は薄膜の根元６から先端７に向かって徐々に薄くなっており、かつ、この薄膜３の先端７が丸みを帯びておらず、さらに、薄膜３の内径面５の全周にわたる窪み８を設け、自由状態における薄膜３の内径面５と軸心１１とのなす角度αをリップ摺動面９と軸心１１とのなす角度βに比べて小さくしたものである。従って、図２に示すように、リップシール１にライナー２４を挿入すると、角度αが小さいため薄膜３の変形を少なくすることができ、薄膜３の内径面５はライナー２４の全周にわたって隙間なく摺接する状態になる。このため、漁網等の海中の異物は薄膜３とライナー２４の間に入り込むことができなくなり、リップ先端２が海中の異物によって損傷することが防止できる。また、窪み８によってリップ先端２と薄膜３が分離して形成されるため、リップ先端２の潤滑が確保され易くなって摩耗が生じにくくなる。
【０００９】
図３は薄膜付リップシールの第２実施例であり、図１に示した第１実施例に対し、薄膜３の根元６から先端７まで軸方向につながった１本または複数の溝１０を設けたものである。この溝１０によって、ライナー２４を挿入した場合に薄膜３とリップ先端２との間に滞留している流体が薄膜３の外部にある流体と入れ替わり易くなるため、リップ先端２の潤滑及び冷却が促進されリップ先端２とその周囲の摩耗及び劣化が起こりにくくなる。
【００１０】
図４に示す船外側船尾管シール装置２０の実施例において、１，２２及び２３はプロペラ軸２５に取り付けたライナー２４に摺接するゴムまたはエラストマー製の弾性体シールリングであり、これらは船体船尾部材２６に固着されている船外側船尾管シール装置２０のハウジング部材２７よって保持されている。シールリング１及び２２は船尾側にあって海水側に向けて配列し海水を封止する作用を行う。また、シールリング２３は船内側に向けて配列し船尾管潤滑油を封止する作用を行う。この実施例においては、上記の第１実施例によって示した薄膜付のリップシール１が最後部のシールリングとして装着されており、これによって漁網等の海中の異物がシール装置内に侵入することを阻止する。
【００１１】
【発明の効果】
以上のように、本発明の薄膜付リップシールによって漁網などの海中の異物がこの薄膜を通過してリップ先端まで到達することを阻止できるので、リップ先端が異物によって損傷することがなく、その結果リップシールとしての信頼性が向上する。
さらに、この薄膜付リップシールを後部船尾管シール装置の少なくとも海水側を向いたシールリングに適用することによって、船尾管シール装置を複雑構造かつ高価にすることなく、その信頼性を高めることができる。
【図面の簡単な説明】
【図１】  本発明の薄膜付リップシールの第１実施例を示す半裁断面図である。
【図２】  本発明の第１実施例による薄膜付きリップシールにライナーを挿入した状態を示す半裁断面図である。
【図３】  本発明の薄膜付リップシールの第２実施例を示す半裁断面図である。
【図４】  本発明の第１実施例による薄膜付リップシールを船外側船尾管シール装置に装着した場合の実施例を示す半裁断面図である。
【図５】  従来の船外側船尾管シール装置を示す半裁断面図である。
【符号の説明】
１ リップシール
２ リップ先端
３ 薄膜
４ リップ正面側
５ 内径面
６ 根元
７ 先端
８ 窪み
９ リップ摺動面
１０ 溝
１１ 軸心
２０ 船外側船尾管シール装置
２１，２２，２３ シールリング
２４ ライナー
２５ プロペラ軸
２６ 船体船尾部材
２７ ハウジング部材
α 内径面５と軸心１１とのなす角度
β リップ摺動面９と軸心１１とのなす角度
【図１】
0003834079.tif 000002
【図２】
0003834079.tif 000003
【図３】
0003834079.tif 000004
【図４】
0003834079.tif 000005
【図５】
0003834079.tif 000006